(57)【要約】【課題】  映像信号、音声信号の有無に関係なく、且つ、映像信号、音声信号にノイズ等が混入することなく、映像音響装置のリアパネルの複数の外部入出力端子の外部機器の接続の有無を検出して、映像音響装置のリアパネルの複数の外部入出力端子の外部機器の接続状態を画面に表示することができるようにする。【解決手段】  リアパネルの複数の外部入出力端子にそれぞれ接続された複数の入出力抵抗に複数のスイッチをそれぞれ接続し、複数のスイッチを介して複数の入出力抵抗に一端が電源にそれぞれ接続された複数のプルアップ抵抗の他端をそれぞれ接続して、メニュ画面に表示されたリアパネルの接続状態の表示が選択されたとき、複数のスイッチをＯＮにして、リアパネルの各外部入出力端子の接続状態を検出し、検出されたリアパネルの各外部入出力端子の接続状態を画面に表示するようにする。【選択図】        図３
2006217135.tif 000002
【特許請求の範囲】
【請求項１】
リアパネルに複数の外部入出力端子が設けられた映像音響装置であって、
リアパネルの複数の外部入出力端子にそれぞれ接続された複数の入出力抵抗にそれぞれ接続された複数のスイッチと、前記複数のスイッチを介して前記複数の入出力抵抗に一端がそれぞれ接続され、他端が電源にそれぞれ接続された複数のプルアップ抵抗と、前記複数のスイッチをＯＮ／ＯＦＦするスイッチ手段と、メニュ画面に表示されたリアパネルの接続状態の表示を選択する選択手段と、前記選択手段によりリアパネルの接続状態の表示が選択されたとき、前記スイッチ手段により前記複数の全スイッチの中の所定の複数のスイッチを順次ＯＮ／ＯＦＦして、リアパネルの各外部入出力端子の電圧レベルを検出してリアパネルの各外部入出力端子の接続状態を検出する検出手段と、前記検出手段により検出されたリアパネルの各外部入出力端子の接続状態を画面に表示する表示手段とを備えたことを特徴とする映像音響装置。
【請求項２】
リアパネルに複数の外部入出力端子が設けられた映像音響装置であって、
リアパネルの複数の外部入出力端子にそれぞれ接続された複数の入出力抵抗にそれぞれ接続された複数のスイッチと、前記複数のスイッチを介して前記複数の入出力抵抗に一端がそれぞれ接続され、他端が電源にそれぞれ接続された複数のプルアップ抵抗と、前記複数のスイッチをＯＮ／ＯＦＦするスイッチ手段と、メニュ画面に表示されたリアパネルの接続状態の表示を選択する選択手段と、前記選択手段によりリアパネルの接続状態の表示が選択されたとき、前記スイッチ手段により前記複数のスイッチをＯＮにして、リアパネルの各外部入出力端子の電圧レベルを検出してリアパネルの各外部入出力端子の接続状態を検出する検出手段と、前記検出手段により検出されたリアパネルの各外部入出力端子の接続状態を画面に表示する表示手段とを備えたことを特徴とする映像音響装置。
【請求項３】
前記検出手段は、前記スイッチ手段により前記複数の全スイッチをＯＮにして、リアパネルの各外部入出力端子の電圧レベルを検出してリアパネルの各外部入出力端子の接続状態を検出する検出手段であることを特徴とする請求項２記載の映像音響装置。
【請求項４】
前記検出手段は、前記スイッチ手段により前記複数のスイッチの中の所定の複数のスイッチを順次ＯＮ／ＯＦＦして、リアパネルの各外部入出力端子の電圧レベルを検出してリアパネルの各外部入出力端子の接続状態を検出する検出手段であることを特徴とする請求項２記載の映像音響装置。
【発明の詳細な説明】
【技術分野】
【０００１】
本発明は、リアパネルに複数の外部入出力端子を有する映像音響装置に係り、特にリアパネルの複数の外部入出力端子の接続状態を画面上で確認することができる映像音響装置に関する。
【背景技術】
【０００２】
一般に、映像音響装置１のリアパネル３には、図２に示すように、複数の外部入出力端子Ｔが設けられていて、外部機器の接続ケーブルを映像音響装置１の外部入出力端子Ｔに接続し、外部機器を動作させて映像音響装置１を動作させることができるようになっている。しかし、映像音響装置１のリアパネル３の複数の外部入出力端子Ｔのいずれの端子に外部機器が接続されているかということを確認するためには、映像音響装置１のリアパネル３の複数の外部入出力端子Ｔの接続状態を目視しなければならないという問題点があった。
背景技術としては、映像音響機器の外部入出力端子に直列接続された抵抗に一端が電源に接続された抵抗と外部入出力端子に直列接続された抵抗との接続ケーブルの接続によるバイアス電圧の低下を検出して、外部入出力端子の接続状態を検出するようにしたものがあった（例えば、特許文献１参照）。
また、テレビジョン受像機の外部入力端子に入力された映像信号の同期信号、水平周波数の有無を検出して、外部入力端子の接続ケーブルの接続状態を検出し、外部入力端子の接続状態を画面に表示するようにしたものがあった（例えば、特許文献２参照）。
また、テレビジョン受像機の映像入力端子に入力された同期信号、再生不能なノイズ信号の有無を検出して、映像入力端子の接続ケーブルの接続状態の有無を検出し、映像入力端子の接続状態をマトリックス表示するようにしたものがあった（例えば、特許文献３参照）。
また、テレビジョン受像機の外部出力端子から出力される信号の出力レベルと基準電圧発生回路の出力レベルとを比較して、外部出力端子の接続ケーブルの接続状態の有無を検出し、外部出力端子の接続状態を検出するようにしたものがあった（例えば、特許文献４参照）。
また、ディスク装置の接続コネクタに接続されたドライブ装置からの入力信号の電圧レベル、シリアル信号の有無を検出して、ディスク装置に装着されているドライブ装置の装着状態を検出するようにしたものがあった（例えば、特許文献５参照）。
【特許文献１】特開２００４−８０６５４号公報
【特許文献２】特開平１０−３０４２６０号公報
【特許文献３】特開２０００−４１１９６号公報
【特許文献４】特開平３−５８６８１号公報
【特許文献５】実用新案登録第３０９６６４１号公報
【発明の開示】
【発明が解決しようとする課題】
【０００３】
しかしながら、背景技術で述べたもののうち最初のものにおいては、映像音響機器の外部入出力端子に直列接続された抵抗に一端が電源に接続された抵抗と外部入出力端子に直列接続された抵抗との接続ケーブルの接続によるバイアス電圧の低下を検出して、外部入出力端子の接続状態を検出することができたが、電源に接続された抵抗が外部入力端子に接続されているため、その抵抗を介して電源に回り込んだノイズが映像信号、音声信号に混入するというという問題点があった。
また、次のものにおいては、テレビジョン受像機の外部入力端子に入力された映像信号の同期信号、水平周波数の有無を検出して、外部入力端子の接続ケーブルの接続状態を検出し、外部入力端子の接続状態を画面に表示することができたが、外部入力端子に同期信号、水平周波数が入力されていない場合、外部入力端子の外部機器の接続の有無を検出することができないという問題点があった。
また、更にその次のものにおいては、テレビジョン受像機の映像入力端子に入力された同期信号、再生不能なノイズ信号の有無を検出して、映像入力端子の接続ケーブルの接続状態の有無を検出し、映像入力端子の接続状態をマトリックス表示することができたが、映像入力端子に同期信号が入力されていない場合に、再生不能なノイズ信号が検出されたとき、映像入力端子の外部機器の接続の有無を誤認するという問題点があった。
また、更にその次のものにおいては、テレビジョン受像機の外部出力端子から出力される信号の出力レベルと基準電圧発生回路の出力レベルとを比較して、外部出力端子の接続ケーブルの接続状態の有無を検出し、外部出力端子の接続状態を検出することができたが、外部出力端子から信号が出力されていない場合、外部出力端子の外部機器の接続の有無を検出することができないという問題点があった。
また、更にその次のものにおいては、ディスク装置の接続コネクタに接続されたドライブ装置からの入力信号の電圧レベル、シリアル信号の有無を検出して、ディスク装置に装着されているドライブ装置の装着状態を検出することができたが、ドライブ装置からの入力信号、シリアル信号が接続コネクタに入力されていない場合、ドライブ装置の装着の有無を検出することができないという問題点があった。
本発明は、背景技術の有するこのような問題点に鑑みてなされたものであり、その目的とするところは、映像信号、音声信号の有無に関係なく、且つ、映像信号、音声信号にノイズ等が混入することなく、映像音響装置のリアパネルの複数の外部入出力端子の外部機器の接続状態の有無を検出して、映像音響装置のリアパネルの複数の外部入出力端子の外部機器の接続状態を画面に表示することができる映像音響装置を提供しようとするものである。
【課題を解決するための手段】
【０００４】
上記目的を達成するため本発明においては、リアパネルに複数の外部入出力端子が設けられた映像音響装置であって、リアパネルの複数の外部入出力端子にそれぞれ接続された複数の入出力抵抗にそれぞれ接続された複数のスイッチと、前記複数のスイッチを介して前記複数の入出力抵抗に一端がそれぞれ接続され、他端が電源にそれぞれ接続された複数のプルアップ抵抗と、前記複数のスイッチをＯＮ／ＯＦＦするスイッチ手段と、メニュ画面に表示されたリアパネルの接続状態の表示を選択する選択手段と、前記選択手段によりリアパネルの接続状態の表示が選択されたとき、前記スイッチ手段により前記複数のスイッチをＯＮにして、リアパネルの各外部入出力端子の接続状態を検出する検出手段と、前記検出手段により検出されたリアパネルの各外部入出力端子の接続状態を画面に表示する表示手段とを備える。
前記検出手段は、リアパネルの各外部入出力端子の電圧レベルを検出してリアパネルの各外部入出力端子の接続状態を検出するようにするとよい。
前記検出手段は、前記スイッチ手段により前記複数の全スイッチをＯＮにして、リアパネルの各外部入出力端子の電圧レベルを検出してリアパネルの各外部入出力端子の接続状態を検出するようにするとよい。
前記検出手段は、前記スイッチ手段により前記複数のスイッチの中の所定の複数のスイッチを順次ＯＮ／ＯＦＦして、リアパネルの各外部入出力端子の電圧レベルを検出してリアパネルの各外部入出力端子の接続状態を検出するようにするとよい。
これらの手段により、映像信号、音声信号の有無に関係なく、且つ、映像信号、音声信号にノイズ等が混入することなく、映像音響装置のリアパネルの複数の外部入出力端子の外部機器の接続状態の有無を検出して、映像音響装置のリアパネルの複数の外部入出力端子の外部機器の接続状態を画面に表示することができる。
【発明の効果】
【０００５】
請求項１記載の発明に係る映像音響装置によれば、リアパネルの複数の外部入出力端子にそれぞれ接続された複数の入出力抵抗に複数のスイッチをそれぞれ接続し、複数のスイッチを介して複数の入出力抵抗に一端が電源にそれぞれ接続された複数のプルアップ抵抗の他端をそれぞれ接続して、メニュ画面に表示されたリアパネルの接続状態の表示が選択されたとき、複数の全スイッチの中の所定の複数のスイッチを順次ＯＮ／ＯＦＦして、リアパネルの各外部入出力端子の電圧レベルを検出してリアパネルの各外部入出力端子の接続状態を検出し、検出されたリアパネルの各外部入出力端子の接続状態を画面に表示するようにしているので、リアパネルの接続状態の検出時以外は、スイッチ回路の全スイッチがＯＦＦにされて、接続状態検出回路がリアパネルの外部入出力端子から切り離され、映像信号、音声信号に電源から回り込んだノイズが混入することがなく、また、映像信号、音声信号の有無に関係なく、リアパネルの外部入出力端子の接続状態を検出して、映像音響装置のリアパネルの接続状態を画面に表示することができ、リアパネルの外部入出力端子数が多い場合であっても、少ない数のＡＤ変換回路によりアナログ信号の電圧レベルをデジタル信号に変換して、映像音響装置のリアパネルの接続状態を検出することができる。
請求項２記載の発明に係る映像音響装置によれば、リアパネルの複数の外部入出力端子にそれぞれ接続された複数の入出力抵抗に複数のスイッチをそれぞれ接続し、複数のスイッチを介して複数の入出力抵抗に一端が電源にそれぞれ接続された複数のプルアップ抵抗の他端をそれぞれ接続して、メニュ画面に表示されたリアパネルの接続状態の表示が選択されたとき、複数のスイッチをＯＮにして、リアパネルの各外部入出力端子の電圧レベルを検出してリアパネルの各外部入出力端子の接続状態を検出し、検出されたリアパネルの各外部入出力端子の接続状態を画面に表示するようにしているので、リアパネルの接続状態の検出時以外は、スイッチ回路の全スイッチがＯＦＦにされて、接続状態検出回路がリアパネルの外部入出力端子から切り離され、映像信号、音声信号に電源から回り込んだノイズが混入することがなく、また、映像信号、音声信号の有無に関係なく、リアパネルの外部入出力端子の接続状態を検出して、映像音響装置のリアパネルの接続状態を画面に表示することができる。
請求項３記載の発明に係る映像音響装置によれば、複数の全スイッチをＯＮにして、リアパネルの各外部入出力端子の電圧レベルを検出し、リアパネルの各外部入出力端子の接続状態を検出するようにしているので、簡単な回路構成でリアパネルの各外部入出力端子の外部機器の接続状態を検出することができる。
請求項４記載の発明に係る映像音響装置によれば、複数のスイッチの中の所定の複数のスイッチを順次ＯＮ／ＯＦＦして、リアパネルの各外部入出力端子の電圧レベルを検出し、リアパネルの各外部入出力端子の接続状態を検出するようにしているので、リアパネルの外部入出力端子数が多い場合であっても、少ない数のＡＤ変換回路によりアナログ信号の電圧レベルをデジタル信号に変換して、映像音響装置のリアパネルの接続状態を検出することができる。
【発明を実施するための最良の形態】
【０００６】
以下、適宜図面を参照しながら本発明を実施するための最良の形態を詳述する。図１は本発明の一実施例の映像音響装置の構成を示すブロック図であり、図２は本発明の一実施例の映像音響装置のリアパネルを示す説明図であり、図３は本発明の一実施例の映像音響装置の接続状態検出部を示す回路図であり、図４は本発明の一実施例の映像音響装置の接続状態の画面表示例を示す図であり、図５は本発明の一実施例の映像音響装置の接続状態の検出動作を示すフローチャートであり、図６は本発明の一実施例の映像音響装置の他の接続状態検出部を示す回路図であり、図７は本発明の一実施例の映像音響装置の他の接続状態の検出動作を示すフローチャートである。
まず、図１の本発明の一実施例の映像音響装置の構成を示すブロック図を基に説明する。
映像音響装置１は、複数の外部機器を接続する複数の外部入出力端子が設けられたフロントパネル２と、複数の外部機器を接続する複数の外部入出力端子Ｔ（図２参照）が設けられたリアパネル３と、映像音声信号を処理する信号処理回路４と、文字情報信号を映像信号に重畳して、文字情報をのモニタ装置３０画面に表示するＯＳＤ（Ｏｎ−Ｓｃｒｅｅｎ  Ｃｈａｒａｃｔｅｒ  Ｄｉｓｐｌａｙ）回路５と、リアパネル３に設けられた複数の外部入出力端子の外部機器の接続状態を検出する接続状態検出部６と、接続状態検出部６により検出されたアナログ信号の電圧信号をデジタル信号に変換するＡＤ変換回路７と、接続状態検出部６とリアパネル３に設けられた複数の外部入出力端子との接続をＯＮ／ＯＦＦするスイッチ回路８と、映像音響装置１のシステム全体を制御するマイコン９と、リモコン装置２０から送信された赤外線信号のリモコン信号を受信して、所定の電気信号に変換するリモコン受信部１０とで構成されている。
また、図３の本発明の一実施例の映像音響装置の接続状態検出部の構成を示す回路図を基に説明する。
リアパネル３の入力端子Ｔ１、Ｔ２、Ｔ３、Ｔ４、Ｔ５、Ｔ６、出力端子Ｔ７、Ｔ８、Ｔ９と信号処理回路４とを接続する接続線に入力抵抗Ｒ１１、Ｒ２１、Ｒ３１、Ｒ４１、Ｒ５１、Ｒ６１、出力抵抗Ｒ７１、Ｒ８１、Ｒ９１の一端がそれぞれ接続され、入力抵抗Ｒ１１、Ｒ２１、Ｒ３１、Ｒ４１、Ｒ５１、Ｒ６１、出力抵抗Ｒ７１、Ｒ８１、Ｒ９１の他端がＧＮＤに接地されて入出力回路が構成されている。また、入力抵抗Ｒ１１、Ｒ２１、Ｒ３１、Ｒ４１、Ｒ５１、Ｒ６１、出力抵抗Ｒ７１、Ｒ８１、Ｒ９１の一端がスイッチ回路８の各スイッチにそれぞれ接続されている。そして、一端が電源ＶＤＤに接続されたプルアップ抵抗Ｒ１２、Ｒ２２、Ｒ３２、Ｒ４２、Ｒ５２、Ｒ６２、Ｒ７２、Ｒ８２、Ｒ９２がスイッチ回路８の各スイッチにそれぞれ接続され、スイッチ回路８の各スイッチを介して入力端子Ｔ１、Ｔ２、Ｔ３、Ｔ４、Ｔ５、Ｔ６、出力端子Ｔ７、Ｔ８、Ｔ９がＡＤ変換回路７にそれぞれ接続されて接続状態検出部６が構成されている。
以上のように構成された映像音響装置について、以下その動作について説明する。
リモコン装置２０のキー操作によりモニタ装置３０の画面に表示されたメニュ画面のリアパネルの接続状態の表示（図示せず）が選択されると、マイコン９は、スイッチ回路８に制御信号を送出して、スイッチ回路８の全スイッチをＯＮにし、接続状態検出回路６によりリアパネル３の入力端子Ｔ１〜Ｔ６、出力端子Ｔ７〜Ｔ９の電圧レベルを検出して、ＡＤ変換回路７によりアナログ信号の電圧レベルをデジタル信号に変換し、デジタル信号に変換された電圧レベルを判別してリアパネル３の入力端子Ｔ１〜Ｔ６、出力端子Ｔ７〜Ｔ９の外部機器の接続状態を検出する。リアパネル３の外部入出力端子に外部機器が接続されている場合、例えば、リアパネル３の入力端子Ｔ１に外部機器の接続ケーブルＣが接続されている場合（図３参照）、外部機器の出力抵抗Ｒｏがリアパネル３の入力端子Ｔ１に接続された入力抵抗Ｒ１１に並列に接続され、入力端子Ｔ１の電圧レベルがＶＤＤ×Ｒ１１／［Ｒ１１＋Ｒ１２×（１＋Ｒ１１／Ｒｏ）］となり、リアパネル３の入力端子Ｔ１に外部機器の接続ケーブルが接続されていない場合の電圧レベルＶＤＤ×Ｒ１１／（Ｒ１１＋Ｒ１２）より低下する。
リアパネル３の入力端子Ｔ１〜Ｔ６、出力端子Ｔ７〜Ｔ９の接続状態を検出すると、マイコン９は、スイッチ回路８に制御信号を送出して、スイッチ回路８の全スイッチをＯＦＦにして、リアパネル３の外部入出力端子の接続状態をモニタ装置３０の画面３０ａに表示する（図４参照）。これにより、リアパネルの接続状態の検出時以外は、スイッチ回路の全スイッチがＯＦＦにされて、接続状態検出回路がリアパネルの外部入出力端子から切り離されているので、映像信号、音声信号に電源から回り込んだノイズが混入することがない。また、映像信号、音声信号の有無に関係なく、リアパネルの外部入出力端子の接続状態を検出して、映像音響装置のリアパネルの接続状態を画面に表示することができる。
また、図５の本発明の一実施例の映像音響装置の接続状態の検出動作を示すフローチャートを基に説明する。
リモコン装置のキー操作によりメニュ画面に表示されたリアパネルの接続状態の表示が選択されると、ステップＳ１からステップＳ２に進み、スイッチ回路の全スイッチがＯＮにされて、ステップＳ３に進む。
ステップＳ３で、リアパネルの外部入出力端子の電圧レベルが検出されて、リアパネルの外部入出力端子の接続状態が検出され、ステップＳ４に進む。
ステップＳ４で、スイッチ回路の全スイッチがＯＦＦにされて、ステップＳ５に進む。
ステップＳ５で、リアパネルの外部入出力端子の接続状態がモニタ装置の画面に表示され、ステップＳ６に進んで処理を終了する。
また、図６の本発明の一実施例の映像音響装置の他の接続状態検出部の構成を示す回路図を基に説明する。
図６は、図３のスイッチ回路８の複数のスイッチを複数のスイッチ回路８ａ、８ｂ、８ｃに分割して、ＡＤ変換回路７のＡＤ変換回路を少なくしたものである。リアパネル３の入力端子Ｔ１、Ｔ２、Ｔ３、Ｔ４、Ｔ５、Ｔ６、出力端子Ｔ７、Ｔ８、Ｔ９と信号処理回路４とを接続する接続線に入力抵抗Ｒ１１、Ｒ２１、Ｒ３１、Ｒ４１、Ｒ５１、Ｒ６１、出力抵抗Ｒ７１、Ｒ８１、Ｒ９１の一端がそれぞれ接続され、入力抵抗Ｒ１１、Ｒ２１、Ｒ３１、Ｒ４１、Ｒ５１、Ｒ６１、出力抵抗Ｒ７１、Ｒ８１、Ｒ９１の他端がＧＮＤに接地されて入出力回路が構成されている。また、入力抵抗Ｒ１１、Ｒ２１、Ｒ３１の一端がスイッチ回路８のスイッチ回路８ａの各スイッチにそれぞれ接続され、入力抵抗Ｒ４１、Ｒ５１、Ｒ６１の一端がスイッチ回路８のスイッチ回路８ｂの各スイッチに接続され、出力抵抗Ｒ７１、Ｒ８１、Ｒ９１の一端がスイッチ回路８のスイッチ回路８ｃの各スイッチに接続されている。そして、一端が電源ＶＤＤに接続されたプルアップ抵抗Ｒ１２、Ｒ２２、Ｒ３２がスイッチ回路８のスイッチ回路８ａ、スイッチ回路８ｂ、スイッチ回路８ｃの各スイッチにそれぞれ接続され、プルアップ抵抗Ｒ１２、Ｒ２２、Ｒ３２とスイッチ回路８のスイッチ回路８ａ、スイッチ回路８ｂ、スイッチ回路８ｃの各スイッチとを接続する接続線がＡＤ変換回路７にそれぞれ接続されて接続状態検出部６が構成されている。
以上のように構成された映像音響装置について、以下その動作について説明する。
リモコン装置２０のキー操作によりモニタ装置３０の画面に表示されたメニュ画面のリアパネルの接続状態の表示が選択されると、マイコン９は、スイッチ回路８に制御信号を送出して、スイッチ回路８のスイッチ回路８ａの全スイッチをＯＮにし、接続状態検出回路６によりリアパネル３の入力端子Ｔ１〜Ｔ３の電圧レベルを検出して、ＡＤ変換回路７によりアナログ信号の電圧レベルをデジタル信号に変換し、デジタル信号に変換された電圧レベルを判別してリアパネル３の入力端子Ｔ１〜Ｔ３の外部機器の接続状態を検出する。リアパネル３の外部入出力端子に外部機器が接続されている場合、例えば、リアパネル３の入力端子Ｔ１に外部機器の接続ケーブルＣが接続されている場合（図６参照）、外部機器の出力抵抗Ｒｏがリアパネル３の入力端子Ｔ１に接続された入力抵抗Ｒ１１に並列に接続され、入力端子Ｔ１の電圧レベルがＶＤＤ×Ｒ１１／［Ｒ１１＋Ｒ１２×（１＋Ｒ１１／Ｒｏ）］となり、リアパネル３の入力端子Ｔ１に外部機器の接続ケーブルが接続されていない場合の電圧レベルＶＤＤ×Ｒ１１／（Ｒ１１＋Ｒ１２）より低下する。
リアパネル３の入力端子Ｔ１〜Ｔ３の外部機器の接続状態を検出すると、マイコン９は、スイッチ回路８に制御信号を送出して、スイッチ回路８のスイッチ回路８ａの全スイッチをＯＦＦにした後、スイッチ回路８のスイッチ回路８ｂの全スイッチをＯＮにし、接続状態検出回路６によりリアパネル３の入力端子Ｔ４〜Ｔ６の電圧レベルを検出して、ＡＤ変換回路７によりアナログ信号の電圧レベルをデジタル信号に変換し、デジタル信号に変換された電圧レベルを判別してリアパネル３の入力端子Ｔ４〜Ｔ６の外部機器の接続状態を検出する。
リアパネル３の入力端子Ｔ４〜Ｔ６の外部機器の接続状態を検出すると、マイコン９は、スイッチ回路８に制御信号を送出して、スイッチ回路８のスイッチ回路８ｂの全スイッチをＯＦＦにした後、スイッチ回路８のスイッチ回路８ｃの全スイッチをＯＮにし、接続状態検出回路６によりリアパネル３の出力端子Ｔ７〜Ｔ９の電圧レベルを検出して、ＡＤ変換回路７によりアナログ信号の電圧レベルをデジタル信号に変換し、デジタル信号に変換された電圧レベルを判別してリアパネル３の出力端子Ｔ７〜Ｔ９の外部機器の接続状態を検出する。
リアパネル３の全外部入出力端子Ｔ１〜Ｔ９の接続状態を検出すると、マイコン９は、スイッチ回路８に制御信号を送出して、スイッチ回路８のスイッチ回路８ｃの全スイッチをＯＦＦにして、リアパネル３の外部入出力端子の外部機器の接続状態をモニタ装置３０の画面３０ａに表示する（図４参照）。これにより、リアパネルの接続状態の検出時以外は、スイッチ回路の全スイッチがＯＦＦにされて、接続状態検出回路がリアパネルの外部入出力端子から切り離されているので、映像信号、音声信号に電源から回り込んだノイズが混入することがない。また、映像信号、音声信号の有無に関係なく、リアパネルの外部入出力端子の接続状態を検出して、映像音響装置のリアパネルの接続状態を画面に表示することができる。また、リアパネルの外部入出力端子数が多い場合であっても、少ない数のＡＤ変換回路によりアナログ信号の電圧レベルをデジタル信号に変換して、映像音響装置のリアパネル３の接続状態を検出することができる。
また、図７の本発明の一実施例の映像音響装置の他の接続状態の検出動作を示すフローチャートを基に説明する。
リモコン装置のキー操作によりメニュ画面に表示されたリアパネルの接続状態の表示が選択されると、ステップＳ１１からステップＳ１２に進み、複数のスイッチ回路の１つのスイッチ回路の全スイッチがＯＮにされて、ステップＳ１３に進む。
ステップＳ１３で、リアパネルの外部入出力端子の電圧レベルが検出されて、リアパネルの外部入出力端子の接続状態が検出され、ステップＳ１４に進む。
ステップＳ１４で、リアパネルの全外部入出力端子の接続状態の検出が終了したか否かが判断され、リアパネルの全外部入出力端子の接続状態の検出が終了した場合、ステップＳ１６に進み、リアパネルの全外部入出力端子の接続状態の検出が終了していない場合、ステップＳ１５に進む。
ステップＳ１５で、スイッチ回路の全スイッチがＯＦＦにされて、次のスイッチ回路の全スイッチがＯＮにされ、ステップＳ１３に戻って、ステップＳ１３からのステップを繰り返す。
ステップＳ１６で、スイッチ回路の全スイッチがＯＦＦにされて、ステップＳ１７に進む。
ステップＳ１７で、リアパネルの外部入出力端子の接続状態がモニタ装置の画面に表示され、ステップＳ１８に進んで処理を終了する。
以上、本発明を実施するための最良の形態について詳述したが、本発明はこれに限定されるものではなく、当業者の通常の知識の範囲内でその変形や改良が可能である。例えば、リアパネルの外部入出力端子に入出力抵抗の一端が接続され、他端が接続されている場合についてリアパネルの外部入出力端子の接続状態を検出することを説明したが、リアパネルの外部入出力端子に一端が直列に接続された抵抗の他端の電圧レベルを接続状態検出部により検出してリアパネルの外部入出力端子の接続状態を検出することができる。
【図面の簡単な説明】
【０００７】
【図１】本発明の一実施例の映像音響装置の構成を示すブロック図である。
【図２】本発明の一実施例の映像音響装置のリアパネルを示す説明図である。
【図３】本発明の一実施例の映像音響装置の接続状態検出部の構成を示す回路図である。
【図４】本発明の一実施例の映像音響装置の接続状態の画面表示例を示す図である。
【図５】本発明の一実施例の映像音響装置の接続状態の検出動作を示すフローチャートである。
【図６】本発明の一実施例の映像音響装置の他の接続状態検出部の構成を示す回路図である。
【図７】本発明の一実施例の映像音響装置の他の接続状態の検出動作を示すフローチャートである。
【符号の説明】
【０００８】
１  映像音響装置
２  フロントパネル
３  リアパネル
４  信号処理回路
５  ＯＳＤ回路
６  接続状態検出部
７  ＡＤ変換回路
８  スイッチ回路
９  マイコン
１０  リモコン受信部
２０  リモコン装置
３０  モニタ装置
３０ａ  画面
Ｒ１１、Ｒ２１、Ｒ３１、Ｒ４１、Ｒ５１、Ｒ６１  入力抵抗
Ｒ７１、Ｒ８１、Ｒ９１  出力抵抗
Ｒ１２、Ｒ２２、Ｒ３２、Ｒ４２、Ｒ５２、Ｒ６２、Ｒ７２、Ｒ８２、Ｒ９２  プルアップ抵抗
Ｔ１、Ｔ２、Ｔ３、Ｔ４、Ｔ５、Ｔ６  入力端子
Ｔ７、Ｔ８、Ｔ９  出力端子
【図１】
2006217135.tif 000003
【図２】
2006217135.tif 000004
【図３】
2006217135.tif 000005
【図４】
2006217135.tif 000006
【図５】
2006217135.tif 000007
【図６】
2006217135.tif 000008
【図７】
2006217135.tif 000009